(57)【要約】      （修正有）【課題】ダクトの表面を有効に活用することができるダクト用装飾シートを提供する。【解決手段】ダクト用装飾シート１は、難燃性の段ボールシート材により形成され、ダクトＤの表面を覆う大きさに形成される本体部１０と、本体部１０の少なくとも周縁部の一部に設けられ、本体部１０をダクトＤに保持する固定部３０と、本体部１０のダクトＤへの取り付け状態で外部に露出する側に設けられる装飾部２０と、を備える。【選択図】図２
0003160633.tif 000002
【実用新案登録請求の範囲】
【請求項１】
難燃性の段ボールシート材により形成され、ダクトの表面を覆う大きさに形成される本体部と、
前記本体部の少なくとも周縁部の一部に設けられ、前記本体部をダクトに保持する固定部と、
前記本体部のダクトへの取り付け状態で外部に露出する側に設けられる装飾部と、を備えるダクト用装飾シート。
【請求項２】
前記装飾部は、前記本体部の表面に難燃性のインクによる印刷が施されることにより形成される請求項１記載のダクト用装飾シート。
【考案の詳細な説明】
【技術分野】
【０００１】
本考案は、ダクトに取り付けて使用するダクト用装飾シートに関する。
【背景技術】
【０００２】
従来より、空調、換気、排煙等を目的として、室内と室外とをつなぐダクトが使用されている。また、ダクトとしては、例えば、鉄板製の矩形状の枠部材を連結して、内部を風道として空気の流通を行う。例えば、鉄板製の板材を矩形状に形成したダクト（いわゆる角ダクト）や、円形形状のダクト（いわゆる、丸ダクト）がある（特許文献１、特許文献２参照）。これらのダクトは、室内において、邪魔にならない天井や壁面に沿って設置される。
【先行技術文献】
【特許文献】
【０００３】
【特許文献１】特開２０００−０８１２４３号公報
【特許文献２】特開平０８−０６１７３３号公報
【考案の概要】
【考案が解決しようとする課題】
【０００４】
しかし、上述したダクトは、天井や壁面に設置されるために、室内全体として美観を損ねるという問題がある。そこで、上述したダクトにおいては、例えば、目立たないように、設置場所と同化するように、天井等と同じ色の塗装をする等の処理が行われる。しかしながら、ダクトについては、室内全体として美観を損なわないように目立たなくする程度であり、有効に利用されていないという現状がある。
【０００５】
そこで、本考案は、ダクトの表面を有効に活用することができるダクト用装飾シートを提供することを目的とする。
【課題を解決するための手段】
【０００６】
（１）本考案のダクト用装飾シートにおいては、難燃性の段ボールシート材により形成され、ダクトの表面を覆う大きさに形成される本体部と、前記本体部の少なくとも周縁部の一部に設けられ、前記本体部をダクトに保持する固定部と、前記本体部のダクトへの取り付け状態で外部に露出する側に設けられる装飾部と、を備える。
【０００７】
（１）のダクト用装飾シートは、ダクトへの取り付け状態において外部に露出する側に装飾部が設けられているために、取り付けられるダクトの表面を装飾領域として利用することができる。
【０００８】
また、（１）のダクト用装飾シートは、ダクトに直接印刷等を施さずに、簡単に装飾を施すことができる。
また、（１）のダクト用装飾シートにおいては、交換することで、簡単にダクトに施された装飾を変更することができる。
【０００９】
また、（１）のダクト用装飾シートは、ダクトの表面を覆うために、未設のダクトに限らず、既設のダクトにも簡単に取り付けることができる。また、本体部は、難燃性の段ボールシート材により形成されているために、防火基準に対応することができ、店舗等のダクトに設置可能となる。
【００１０】
また、（１）のダクト用装飾シートは、本体部が段ボールシート材により形成されているために、ダクトからの熱を遮断する。このため、ダクトの使用状況に関わらず、ダクトが設置される室内の環境に与える影響を低くすることができる。
【００１１】
（２）前記装飾部は、前記本体部の表面に難燃性のインクによる印刷が施されることにより形成される（１）記載のダクト用装飾シート。
【００１２】
（２）のダクト用装飾シートについては、本体部に印刷を施すだけで簡単に装飾部を形成することができる。また、（２）のダクト用装飾シートについては、装飾部が難燃性のインクによる印刷により形成されるために、本体部と共に、火災時の燃え広がりを抑えることができる。
【考案の効果】
【００１３】
本考案によれば、ダクトの表面を有効に活用することができるダクト用装飾シートを提供することができる。
【図面の簡単な説明】
【００１４】
【図１】本考案のダクト用装飾シートの外観を示す図であり、（ａ）はエアコンの排気用のダクトや天井付近に設置された換気用ダクトに取り付けた状態の外観を示す図であり、（ｂ）はテーブルの上方に設置された排煙用ダクトに取り付けた状態の外観を示す図である。
【図２】図１（ａ）の換気用ダクトに取り付けるダクト用装飾シートを示す図で、（ａ）は要部断面を示す斜視図であり、（ｂ）は断面図であり、（ｃ）は変形例を示す断面図である。
【図３】図１（ａ）のエアコンの排気用のダクトに取り付けるダクト用装飾シートを示す図で、（ａ）は要部断面を示す斜視図であり、（ｂ）は断面図である。
【図４】図１（ｂ）の排煙用ダクトに取り付けるダクト用装飾シートを示す断面図である。
【図５】本考案の他の例を示す図である。
【考案を実施するための形態】
【００１５】
本考案のダクト用装飾シート１は、例えば、図１（ａ）から図１（ｃ）に示すような、種々のダクトＤに取り付けることができる。
本考案のダクト用装飾シート１について、以下、取り付けられるダクトＤの形態に対応して実施の形態として例示する。
【００１６】
なお、本考案において、ダクトＤとは、冷暖房や換気等を目的として空気を送る風道管であって、空調機器からの吸排気を行うための空調配管（例えば、図１（ａ）に示すように、エアコンＡＣの吸排気管となるダクトＤ）等の配管類を含むものである。
【００１７】
＜第１の実施の形態＞
第１の実施の形態に係るダクト用装飾シート１について、図１（ａ）及び図２を用いて説明する。図１（ａ）は、本考案のダクト用装飾シート１の外観を示す図であり、天井付近に設置された換気用ダクトＤに取り付けた状態の外観を示す図（図中右側参照）である。図２は、図１（ａ）の換気用ダクトＤに取り付けるダクト用装飾シート１を示す図で、（ａ）は要部断面を示す斜視図であり、（ｂ）は断面図である。
【００１８】
第１の実施の形態に係るダクト用装飾シート１は、既設のダクトＤに取り付け可能なダクト用装飾シート１である。本実施の形態においては、ダクト用装飾シート１は、例えば、天井付近の壁面Ｗに設置されている換気用ダクトＤに取り付ける。
【００１９】
換気用ダクトＤは、室内の換気を目的とするダクトＤであり、両端が開放した中空状の筒形状をしており、室内外の気圧差や送風機を利用して、室内側に設けられた開口部（図示せず）から取り込んだ室内の空気を、室外側の開口部（図示せず）から排出するように構成される。
【００２０】
本実施の形態の換気用ダクトＤは、例えば、図１（ａ）の右側部分に示すように、金属製のいわゆる、角ダクトとして構成され、一辺が図示しない取り付け部より壁面Ｗに固定されて、邪魔にならない天井付近の壁面Ｗに設置される。また、本実施の形態の換気用ダクトＤは、図１（ａ）に示すように、形成される面（本実施の形態においては、矩形状の角ダクトであるため）４面のうち、壁面Ｗとの固定部分となる固定面以外の面となる露出面があり、露出面のうち室内の利用者から目視可能な装飾面（底面及び壁面Ｗとの固定面と逆側の側面の２面）とがある。
【００２１】
また、換気用ダクトＤは、図２（ａ）に示すように、所定の長さのダクトユニットを複数連結して形成される。ダクトユニットは、例えば、複数枚のステンレス鋼材の平板を折り曲げて接合して形成される。接合される平板の連結部分は、平板を互いに折り返して平板同士を組み付ける、いわゆる、はぜ組をして構成される。また、ダクトユニットは、端部には連結部分となるアングル部が形成され、このアングル部により他のダクトユニットのアングル部とボルト等を介して連結される。
【００２２】
上述した換気用ダクトＤに取り付けられるダクト用装飾シート１は、図２（ａ）に示すように、本体部１０と装飾部２０と固定部３０とを備える。
【００２３】
本体部１０は、難燃性の材料からなる段ボールシート材により形成される。具体的には、本体部１０は、所定の大きさの１枚の段ボールシート材により形成される。
また、本体部１０は、ダクト用装飾シート１が取り付けられる換気用ダクトＤの形状に合わせて、換気用ダクトＤの表面を覆うことができる形状に形成される。本実施の形態においては、本体部１０は、図２（ｂ）に示すように、ダクトＤの１面に対応する大きさに形成される。
【００２４】
本体部１０として用いられる段ボールシート材は、いわゆる両面段ボールであり、図２（ｂ）に示すように、波形に成形された中芯と、板状のライナとを有する。段ボールシート材は、中芯の両側に板状のライナを接着剤により貼り付けて形成される。
【００２５】
なお、段ボールシート材は、紙製に限られず、少なくとも換気用ダクトＤに求められる耐熱性を有する難燃性の素材により形成することができ、例えば、樹脂製の段ボールシート材により形成することができる。また、本実施の形態において、段ボールシート材は、両面段ボールにより構成したが、これに限られず、片面段ボール、複両面段ボール等の各種の段ボールシート材により構成することができる。
【００２６】
装飾部２０は、本体部１０の表面（詳細には、換気用ダクトＤにダクト用装飾シート１が取り付けられた状態において、露出する面）に設けられる。装飾部２０は、本実施の形態においては、難燃性のインクにより印刷されて形成される。
【００２７】
装飾部２０は、具体的には、本体部１０の表面に印刷されて形成される。装飾部２０には、例えば、絵画や広告（例えば、ダクト用装飾シート１が飲食店に設置される場合には、提供される飲食物の広告等）等が印刷される。なお、本実施の形態において、装飾部２０は、本体部１０の表面に印刷されて形成されるがこれに限られず、本体部１０の表面に印刷物を貼り付けて形成してもよい。
【００２８】
固定部３０は、本体部１０の裏面（詳細には、換気用ダクトＤにダクト用装飾シート１が取り付けられた状態において、露出しない面）の少なくとも、周縁部の一部（例えば、４隅）に設けられる。また、固定部３０は、本実施の形態においては、換気用ダクトＤが金属製であり、簡単に取り外しが可能なシート状のマグネットにより構成される。本実施の形態においては、固定部３０となるマグネットを本体部１０の裏面に設けたがこれに限らず、本体部１０を介しても取り付け可能な磁力を発揮するマグネットを用いる等により本体部１０の表面に設けてもよい。
【００２９】
なお、固定部３０は、本実施の形態においては、本体部１０の裏面に貼り付けられるマグネットにより構成したが、これに限られない。固定部３０は、換気用ダクトＤにダクト用装飾シート１を取り付けることができればよく、例えば、両面テープや、接着剤や、面ファスナ（一方の面ファスナをダクト用装飾シート１に取り付け、対となる他方の面ファスナを換気用ダクトＤに設けるように構成される。）により構成することができる。
【００３０】
ダクト用装飾シート１の換気用ダクトＤへの取り付けは、図２（ｂ）に示すように、固定部３０により換気用ダクトＤの１面に対応する位置に配置して、本体部１０の周縁部に配置される固定部３０を貼り付けることにより行われる。なお、本実施の形態においては、角ダクトの各面（４面）のうち、壁面Ｗへの設置面を除く露出する面に対応して、ダクト用装飾シート１が取り付けられる。具体的には、室内の天井付近の壁面Ｗに設置される角ダクトの場合、少なくとも、室内を利用する利用者が見える面にダクト用装飾シート１が取り付けられる。
【００３１】
以上の構成によれば、ダクト用装飾シート１は、ダクトＤへの取り付け状態において表面となる部分に装飾部２０が形成されているために、ダクトＤに装飾を施すことができる。つまり、ダクト用装飾シート１においては、取り付けられた換気用ダクトＤを装飾することができ、利用価値の低い領域を有効に利用することができる。
【００３２】
また、ダクト用装飾シート１は、段ボールシート材により形成されるために、段ボールシート材により断熱効果が発揮されて、ダクトＤからの熱を遮断するために、換気用ダクトＤにより室内の温度に影響を低減することができる。
【００３３】
また、ダクト用装飾シート１においては、段ボールシート材が難燃性の材料により形成されるために、火事による燃え移りを抑制することができると共に、室内での防火基準等を満たすように構成した場合には、建築施工材料として公に扱うことができる。
【００３４】
また、ダクト用装飾シート１は、固定部３０を介して、ダクトＤの表面を覆うように取り付けられるために、簡単に取り付けられることができると共に、既設のダクトＤに取り付けることができる。
【００３５】
また、ダクト用装飾シート１においては、ダクトＤを本体部１０により覆ことにより、ダクトＤが外部に露出しないために、ダクトＤの経年劣化や損傷等を低減することできる。
【００３６】
また、ダクト用装飾シート１においては、固定部３０をダクトＤから剥がすだけで、ダクトＤから取り外すことができるために、例えば、ダクト用装飾シート１が経年劣化した場合や異なる装飾を施したい場合において、ダクトＤを傷つけることなく、他のダクト用装飾シート１と簡単に交換することができる。
【００３７】
＜第１の実施の形態の変形例＞
また、本実施の形態のダクト用装飾シート１は、角ダクトの各面に対応して設けられるように構成される上述した例に限られず、複数の面を１枚のダクト用装飾シートで覆うように形成されたダクト用装飾シート１により構成することができる。以下、本実施の形態のダクト用装飾シート１の変形例について、図２（ｃ）を用いて説明する。図２（ｃ）は、図１（ａ）の換気用ダクトＤに取り付けるダクト用装飾シート１の変形例を示す断面図である。
【００３８】
本体部１０は、図２（ｃ）に示すように、換気用ダクトＤの各面を覆う大きさの１枚の段ボールシート材により構成される。具体的には、本体部１０は、換気用ダクトＤの各面に対応して折り曲げられて形成される。装飾部２０は、本実施の形態においては、本体部１０の平面部分に複数箇所設けられる。
【００３９】
なお、装飾部２０は、本変形例においては、図１（ａ）に示すように、本体部１０の平面部分に複数箇所設けたがこれに限られず、１の装飾部分となるように、ひと繋がりとなるように装飾部２０を設けるように構成してもよい。
【００４０】
本変形例におけるダクト用装飾シート１の換気用ダクトＤへの取り付けは、本体部１０の端部に設けられる固定部３０をダクトＤに貼り付けることにより行われる。
【００４１】
なお、ダクト用装飾シート１は、例えば、図２（ｃ）に示すように、スペーサ４０を本体部１０と換気用ダクトＤとの間に設けることにより、本体部１０の形崩れを防止することができる。この場合には、ダクト用装飾シート１においては、スペーサ４０に限らず、固定部３０を本体部１０に所定の間隔で配置してもよい。
【００４２】
以上の構成によれば、ダクト用装飾シート１は、取り付けられたダクトＤを装飾することができ、利用価値の低い領域を有効に利用することができる。
【００４３】
なお、本実施の形態においては、固定面を除いた面をダクト用装飾シート１により覆うように構成したが、これに限られない。ダクト用装飾シート１は、固定面において、外壁との固定部３０分を避ける切り欠き等を設けることにより、換気用ダクトＤの全周に渡ってダクト用装飾シート１を設けるように構成することができる。
【００４４】
また、ダクト用装飾シート１は、本実施の形態においては、ダクトＤを覆い、ダクトＤの形状に合わせて形成したがこれに限られない。ダクト用装飾シート１は、ダクトＤの一部または全部を覆うことができる大きさに形成されればよく、ダクトＤの形状に左右されない形状で形成してもよい。具体的には、ダクト用装飾シート１は、装飾部２０の視認性を考慮して、装飾を見せる対象の方向に装飾面を配置するように、例えば、角ダクトの形状に合わせて、平面形状に段ボールシート材を形成せずに、段ボールシート材を複数組み合わせて、角錐形状になるようにしてダクトＤの表面から突出するように形成することもできる。
【００４５】
＜第２の実施の形態＞
以下、本考案の第２の実施の形態について、図１（ａ）及び図３を用いて説明する。第２の実施の形態については、上述した第１の実施の形態と異なる点を主に説明し、同様の点は、同一の符号を付して説明を省略する。特に説明しない点は、第１の実施の形態についての説明が適宜適用される。図１（ａ）は、本考案のダクト用装飾シート１の外観を示す図であり、エアコンＡＣの排気用ダクトＤに取り付けた状態の外観を示す図（図中左側参照）である。図３は、図１（ａ）のエアコンＡＣの排気用ダクトＤに取り付けるダクト用装飾シート１を示す図で、（ａ）は要部断面を示す斜視図であり、（ｂ）は断面図である。
【００４６】
本実施の形態におけるダクトＤは、図１（ａ）に示すように、エアコンＡＣの排気用ダクトＤとして構成される。排気用ダクトＤは、図３（ａ）に示すように、風道となる配管の周囲を断熱材で覆って形成され、断面形状が丸型の、いわゆる丸ダクトにより構成される。
【００４７】
本実施の形態の排気用ダクトＤに取り付けられるダクト用装飾シート１は、図３（ａ）に示すように、ダクトＤの形状に対応する丸形状に形成される。具体的には、ダクト用装飾シート１は、本体部１０が半円状に形成される。
また、ダクト用装飾シート１は、本体部１０の隅部分（少なくとも、両端部）に固定部３０が形成される。固定部３０は、本実施の形態においては、排気用ダクトＤが非金属製の断熱材で覆われているために、両面テープにより形成される。なお、固定部３０は、両面テープに限られない、第１実施の形態と同様に、種々の固定部材により構成することができる。
【００４８】
また、ダクト用装飾シート１は、図３（ａ）に示すように、取り付け状態において表面となる側に装飾部２０が設けられる。
【００４９】
本実施の形態においては、排気用ダクトＤには、排気用ダクトＤの全周を覆うように、排気用ダクトＤの大きさに対応した大きさの２つのダクト用装飾シート１が取り付けられる。
【００５０】
本実施の形態においては、以上のように構成されるダクト用装飾シート１を複数連結して、排気用ダクトＤに取り付けられる。なお、装飾部２０は、図３（ａ）に示すように、ダクト用装飾シート１に対応しても受けられるが、排気用ダクトＤの全周に渡って１の装飾を構成するように、対となるダクト用装飾シート１に対応して形成することができる。
【００５１】
なお、排気用ダクトＤには、全周を覆うように２つのダクト用装飾シート１を取り付けたがこれに限られず、排気用ダクトＤの一部を覆うように、１つのダクト用装飾シート１を取り付けるように構成してもよい。
【００５２】
また、ダクト用装飾シート１は、例えば、図３（ｂ）に示すように、スペーサ４０を本体部１０とダクトＤとの間に設けることにより、本体部１０の形崩れを防止することができる。この場合には、ダクト用装飾シート１においては、スペーサ４０に限らず、固定部３０を本体部１０に所定の間隔で配置してもよい。
【００５３】
以上のように構成することにより、丸型のダクトＤに取り付け可能なダクト用装飾シート１を提供することができる。このため、ダクト用装飾シート１においては、例えば、エアコンＡＣの排気用ダクトＤに簡単に装飾を施すことができる。
【００５４】
したがって、ダクト用装飾シート１においては、取り付けられたダクトＤを装飾することができ、利用価値の低い領域を有効に利用することができる。
【００５５】
＜第３の実施の形態＞
以下、本考案の第３の実施の形態について、図１（ｂ）及び図４を用いて説明する。第３の実施の形態については、上述した第１の実施の形態及び第２の実施の形態と異なる点を主に説明し、同様の点は、同一の符号を付して説明を省略する。特に説明しない点は、第１の実施の形態及び第２の実施の形態についての説明が適宜適用される。図１は、本考案のダクト用装飾シートの外観を示す図であり、（ｂ）はテーブルの上方に設置された排煙用ダクトＤに取り付けた状態の外観を示す図である。図４は、図１（ｂ）の排煙用のダクトＤに取り付けるダクト用装飾シート１を示す断面図である。
【００５６】
本実施の形態におけるダクトＤは、図１（ｂ）に示すように、テーブルＴの上に設置される卓上の調理器具Ｇの上方に配置されて調理器具Ｇの使用により発生する食べ物からの煙を室外に排出する排煙用ダクトＤを用いる。この排気用ダクトＤは、卓上の調理器具Ｇに対応して、吸入口（図示せず）が設けられ、吸入口の周囲にはフードＦが形成される。フードから上方に向けてダクトユニットが複数連結されて室外に煙を排気するように構成される。また、排煙用ダクトＤは、天井付近において固定されており、卓上近傍に釣り下げられるように設置されている。
【００５７】
上述したような排煙用ダクトＤに取り付けられるダクト用装飾シート１は、本体部１０は、排煙用ダクトＤの全周を覆うことができる大きさに形成される。
【００５８】
また、固定部３０は、マグネットにより構成され、図４に示すように、排煙用ダクトＤの全周を覆ったときに、重なる位置に対応して本体部１０の隅部分に表裏面に配置される。固定部３０は、マグネットにより構成したが、本体部１０の一端と他端を固定できればよく、上述した各実施の形態と同様に種々の固定部材により構成することができる。
【００５９】
このようにダクト用装飾シート１を構成することにより、排煙用ダクトＤの全周に本体部１０を巻きつけて本体部１０の重なり合う部分に配置された固定部３０を互いに固定させることで、排煙用ダクトＤに取り付けることができる。
【００６０】
また、本実施の形態においては、ダクト用装飾シート１は、ダクトユニット部分に取り付けるように構成したが、フードＦ部分に取り付けるように構成することも可能である。この場合には、第１の実施の形態におけるタイプのダクト用装飾シート１を取り付けるように構成される。
【００６１】
また、ダクト用装飾シート１は、例えば、図３（ｂ）に示すように、スペーサ４０を本体部１０とダクトＤとの間に設けることにより、本体部１０の形崩れや位置ずれを防止することができる。この場合には、ダクト用装飾シート１においては、スペーサ４０に限らず、固定部３０を本体部１０に所定の間隔で配置してもよい。
【００６２】
以上のように構成することにより、丸型のダクトＤに取り付け可能なダクト用装飾シート１を提供することができる。このため、ダクト用装飾シート１においては、例えば、天井から釣り下げられる排煙用ダクトＤに簡単に装飾を施すことができる。
【００６３】
したがって、ダクト用装飾シート１においては、取り付けられたダクトＤを装飾することができ、利用価値の低い領域を有効に利用することができる。
【００６４】
また、調理器具Ｇの近傍に配置される排煙用ダクトＤに取り付けられるダクト用装飾シート１においては、ユーザが調理器具Ｇからの熱で温められた排煙用ダクトＤに触れてしまった場合でも、段ボールシート材により構成されて排煙用ダクトＤの熱を遮断するために、火傷等をすることがない。また、難燃性の段ボールシート材により形成されているために、調理器具Ｇやタバコの火等が触れても、即座に引火してしまうことがない。
【００６５】
以上、本考案に係るダクト用装飾シート１の好適な実施の形態について説明したが、本考案に係るダクト用装飾シート１は、上述した実施の形態に限定されることなく種々の形態で実施することができる。
【００６６】
なお、具体的に図５は、図１との対比により本考案の他の例を示す図である。この図５に示す例では、部分的に、上下のダクト用装飾シート１が幅広に形成され、この幅広に形成された箇所で、ダクトＤに沿って、ダクト用装飾シート１によりサブのダクトが設けられる。このサブのダクトは、ダクトＤの前後及び側方が同様のダクト用装飾シート１により封止されて一定容積の内部空間が形成される。またこのサブのダクトは、この前後及び側方のダクト用装飾シート１に、吸気口５０及び排気口５０がそれぞれ設けられ、内部空間に消臭剤が設けられる。なお消臭剤に代えて、又は加えて除湿材、芳香剤等を設けても良い。また吸気口、排気口の双方、又は１方には、それぞれ吸気用ファン、排気用ファンが設けられる。
【００６７】
この図５の構成によれば、本来のダクトの表面を装飾に有効に活用し、併せてサブのダクトを形成して種々に利用を図ることができる。具体的に、例えば喫煙室を通過するダクトを部分的に幅広とし、この喫煙室の消臭、脱臭に利用することができる。
【００６８】
また、装飾部２０は、印刷により形成される平面的な装飾により構成したがこれに限られず、立体的な装飾により形成することができる。
【符号の説明】
【００６９】
Ｄ    ダクト
１    ダクト用装飾シート
１０  本体部
２０  装飾部
３０  固定部
【図１】
0003160633.tif 000003
【図２】
0003160633.tif 000004
【図３】
0003160633.tif 000005
【図４】
0003160633.tif 000006
【図５】
0003160633.tif 000007